(57)【特許請求の範囲】
【請求項１】
小包ボックスとメールボックスとメールボックスの開閉丁番とを備え、小包ボックスは、天板と左右の側壁と背後壁と底板とを有し、正面側が開放した箱型をなしており、メールボックスは、張出部と投函口と投函口開閉蓋とメール収納部とを有し且つ開閉丁番で小包ボックスの側壁に連結してあり、張出部は、小包ボックスの正面側端部よりも正面側に位置し、メールボックスの張出部の背面が小包ボックスの天板の正面側端部に当接しており、メールボックスの収納部が小包ボックスの天板と左右の側壁の内周に位置し、メールボックスの上面に上溝部が設けてあり、上溝部に侵入した雨水を外部に排出する排水部を有することを特徴とする郵便箱。
【請求項２】
小包ボックスとメールボックスとメールボックスの開閉丁番とを備え、小包ボックスは、天板と左右の側壁と背後壁と底板とを有し、正面側が開放した箱型をなしており、メールボックスは、張出部と投函口と投函口開閉蓋とメール収納部とを有し且つ開閉丁番で小包ボックスの側壁に連結してあり、張出部は、小包ボックスの正面側端部よりも正面側に位置し、メールボックスの張出部の背面が小包ボックスの天板の正面側端部に当接しており、メールボックスの収納部が小包ボックスの天板と左右の側壁の内周に位置し、小包ボックスの底板が、小包ボックスの天板よりも正面側に短く、小包ボックスの底部正面側部分が抜けて、メールボックスの底板が下方に臨んでいることを特徴とする郵便箱。
【発明の詳細な説明】
【技術分野】
【０００１】
本発明は、書簡や小包を収容する郵便箱に関するものである。
【背景技術】
【０００２】
この種の郵便箱として、特開平９−２３８８１９号公報のように、書簡と小包を収容するスペースが一体型の郵便箱があった。
【先行技術文献】
【特許文献】
【０００３】
【特許文献１】特開平９−２３８８１９号公報
【発明の概要】
【発明が解決しようとする課題】
【０００４】
しかしながら上記のような郵便箱は、メールボックスの容積を大きく設計したときに、郵便箱の側面にメールボックスと宅配ボックスの継目が露出して外観を損ねてしまう問題点があった。さらに、屋外用として使用した場合には、上記の継目からメールボックスや宅配ボックス内に雨水が入り込むおそれがあった。本発明は、上記課題を鑑みてなされたものであり、雨仕舞いが良く、外観の体裁も良好な郵便箱を提供することにある。
【課題を解決するための手段】
【０００５】
本発明のうち請求項１記載の発明は、小包ボックスとメールボックスとメールボックスの開閉丁番とを備え、小包ボックスは、天板と左右の側壁と背後壁と底板とを有し、正面側が開放した箱型をなしており、メールボックスは、張出部と投函口と投函口開閉蓋とメール収納部とを有し且つ開閉丁番で小包ボックスの側壁に連結してあり、張出部は、小包ボックスの正面側端部よりも正面側に位置し、メールボックスの張出部の背面が小包ボックスの天板の正面側端部に当接しており、メールボックスの収納部が小包ボックスの天板と左右の側壁の内周に位置し、メールボックスの上面に上溝部が設けてあり、上溝部に侵入した雨水を外部に排出する排水部を有することを特徴とする。本発明のうち請求項２記載の発明は、小包ボックスとメールボックスとメールボックスの開閉丁番とを備え、小包ボックスは、天板と左右の側壁と背後壁と底板とを有し、正面側が開放した箱型をなしており、メールボックスは、張出部と投函口と投函口開閉蓋とメール収納部とを有し且つ開閉丁番で小包ボックスの側壁に連結してあり、張出部は、小包ボックスの正面側端部よりも正面側に位置し、メールボックスの張出部の背面が小包ボックスの天板の正面側端部に当接しており、メールボックスの収納部が小包ボックスの天板と左右の側壁の内周に位置し、小包ボックスの底板が、小包ボックスの天板よりも正面側に短く、小包ボックスの底部正面側部分が抜けてメールボックスの底板が下方に臨んでいることを特徴とする。
【発明の効果】
【０００６】
本発明によれば、小包ボックスに対し、メールボックスを閉じた状態でメールボックスの張出部が小包ボックスの正面側端部よりも正面側に位置しており、メールボックスの張出部の背面が小包ボックスの天板の正面側端部に当接するので、雨水が小包ボックス内に入り込みにくく止水性が良い。また、メールボックスの収納部が小包ボックスの天板及び左右側壁の内周に納まるので、郵便箱の外観がよい。また、請求項１のように、メールボックスの上面に上溝部が設けてあり、上溝部に侵入した雨水を外部に排出する排水部を有することにより、小包ボックスの天板とメールボックスの張出部の当接部から漏れてきた雨水をメールボックスの側部材の外周に案内して排水できるので、小包ボックスの内部に雨水が侵入しなくなる。さらに、請求項２のように、小包ボックスの底板が小包ボックスの天板よりも正面側に短く、小包ボックスの底部正面側部分が抜けてメールボックスの底板が下方に臨んでいることにより、小包ボックスの天板とメールボックスの張出部の当接部から漏れてメールボックスの外周を伝う雨水を直接外部に排出でき、小包ボックス内に侵入することがない。また、メールボックスの収納部の大きさが小包ボックスの底部の高さに制限されないことから、メールボックスの収納空間を最大限に大きく形成することができる。
【図面の簡単な説明】
【０００７】
【図１】本実施による郵便箱の側面視した内部参考図である。
【図２】図４中のＡ−Ａ線を断面して示す（ａ）は、郵便箱のメールボックスの閉塞状態であり、（ｂ）は、開放状態である。
【図３】（ａ）は、図１中Ｂを拡大した縦断面図であり、（ｂ）は、図２（ｂ）中Ｃを拡大して示す横断面図である。
【図４】本実施による郵便箱の全体を示す正面図である。
【図５】本発明の他の実施形態を示す側面視した内部参考図である。
【発明を実施するための形態】
【０００８】
以下に、図面に基づいて本実施による郵便箱の実施の形態を説明する。
本実施による郵便箱は、図４のように、照明２２やインターホン２３が一体型に組み込まれた門柱に設置してあり、その門柱の支柱２１長手方向の中間部に設置してある。また、郵便箱は、図１と図２（ａ）（ｂ）のように、小包ボックス１とメールボックス２とからなり、メールボックス２は、小包ボックス１の左右のうちの一方の側壁４内周に開閉丁番７で垂直軸回りに開閉自在に取り付けてある。
【０００９】
小包ボックス１は、天板３と左右の側壁４と底板５と背後壁６とからなる正面側が開放した箱型をなしている。左右の側壁４は、左右に平行に配置する外周側壁４ａと内周側壁４ｂとからなっている。また、側壁４は、図２（ａ）のように、左右の側壁４の内周側壁４ｂの正面側部分が外周側壁４ａよりも短く形成してあり、一方の側壁４では、その内周側壁４ｂのない外周側壁４ａの内周側からネジで支柱２１に止めることにより、郵便箱を支柱２１に固定している。また、他方（図２（ａ）中の右側）の側壁４では、その内周側壁４ｂのない外周側壁４ａの内周側にメールボックス２を垂直軸回りに開閉自在に支持する開閉丁番７が取り付けてある。さらに、底板５は、正面側が天板３と対向しておらず、小包ボックス１の底部の正面側部分が抜けた構造となっている。
【００１０】
上記のように小包ボックス１を形成すると、以下のような作用、効果を奏する。左右の側壁４の内周側壁４ｂの正面側部分が外周側壁４ａよりも短いことにより、左右の側壁４内周間が広くできるので、郵便箱を支柱２１にネジで止めるためのスペースを内周側壁４ｂよりも外周側に設けられる。左右の側壁４のそれぞれの内周部には、開閉丁番７の支持部４ｃが設けてある。この支持部４ｃは、側壁４内周の取付箇所から内周側に延びる支持片４０ａと、支持片４０ａの内周側先端部から正面側と背面側に延びる取付片４０ｂとから平面視して略Ｔ字型に構成されている。これにより、開閉丁番７の支持部４ｃを側壁４の内周側壁４ｂよりも外周側に設けることができる。また、メール収納部１０の容積を可能な限り大きくした状態でメールボックス２の開閉軌道が確保できる。また、開閉丁番７の取付片４０ｂが内周側に位置して支柱２１との間に間隙４１が形成されることにより、その間隙４１に手を入れることができることからメールボックス２を開閉しやすくなる（図３（ｂ）参照）。さらに、底板５は、天板３よりも正面側に短く形成してあることで、小包ボックス１の底の正面側部分が開放した状態となっている。これにより、メールボックス２を閉じたときに、底板５で制限されずにメールボックス２のメール収納部１０を小包ボックス１内に収納することができる。さらに、底板５が正面側に短いことにより、メールボックス２のメール収納部１０の下端を小包ボックス１の底板５の下端位置まで下げることができるので、メールボックス２のメール収納部１０を所定の大きさの小包ボックス１内で最大限に大きく形成できる。また、メールボックス２が小包ボックス１の天板３と左右の側壁４で囲まれることにより、小包ボックス１とメールボックス２の継目が隠蔽されることから郵便箱の外観の体裁が良好となる。  
【００１１】
メールボックス２は、上部材８ａと下部材８ｂと左右の側部材８ｃと背面壁３２とから箱型に構成しており、正面側には小包ボックス１の正面側から突出して外周側に張り出す張出部８を有している。上部材８ａは、上面部２９ａと、上面部２９ａの正面側から外周に張り出す上張出部２９ｂを有している。下部材８ｂは、下壁部３０ａと、下壁部３０ａの正面側から外周に張り出す下張出部３０ｂを有している。左右の側部材８ｃは、側壁部３１ａと、側壁部３１ａの正面側から外周に張り出す側張出部３１ｂを有している。メール収納部１０は、下壁部３０ａと、下壁部３０ａの背面側から上方に延びる背面壁３２と、背面壁３２の上端から正面側に延びる上壁部３３と、側部材８ｃの側壁部３１ａとで囲むことにより、内部に書簡を収容できるスペースを有する箱型に形成されるものである。
【００１２】
メールボックス２は、上部材８ａの上張出部２９ｂと、下部材８ｂの下張出部３０ｂと、左右の側部材８ｃの側張出部３１ｂと、左右の側張出部３１ｂ間に取り付けられる仕切材２４と、仕切材２４を隔てて上下に設けられる投函口９及び書簡取出口２５と、投函口９に開閉自在に取り付けられる投函口開閉蓋１１と、書簡取出口２５に開閉自在に取り付けられる開閉子扉１２とから正面視して略矩形状をなす郵便箱の正面側見付け面を構成している。
【００１３】
投函口９と書簡取出口２５は、図１と図４のように、正面視して縦長略矩形状をなす郵便箱の正面側見付け面の内周の上下に配置するものであり、左右の側部材８ｃ間に設けてある仕切材２４によって張出部８の内周部を上下に区画し、その区画された上側を投函口９、下側を書簡取出口２５としている。投函口９は、仕切材２４と、上部材８ａと、左右の側部材８ｃとで囲む横長矩形状をなし、上部材８ａには、投函口開閉蓋１１が水平軸２７で開閉自在に取り付けてある。また、書簡取出口２５は、仕切材２４と、下部材８ｂと、左右の側部材８ｃとで囲む略矩形状をなし、下部材８ｂには、開閉子扉１２が水平軸２８で開閉自在に取り付けてある。また、仕切材２４は、正面側見付け面が投函口開閉蓋１１と開閉子扉１２の戸当たりとなっており、さらに、仕切材２４の下部には、後述するが開閉子扉１２のダイヤル錠１７を受ける鍵受け部２６が設けてある。さらに、仕切材２４の上方部２４ａは、正面側から背面側に下がるテーパ状に形成してある。これにより、書簡が仕切材２４の上方部２４ａのテーパでメール収納部１０に案内されるので、書簡を投函口９に入れやすくなる。また、投函口開閉蓋１１と開閉子扉１２を軸支する各水平軸２７，２８は、側部材８ｃの側張出部３１ｂ内周部に取り付けてあるキャップ３５に嵌合してラッチ構造にしてある（図３（ａ）参照）。これにより、水平軸２７，２８に各々軸支してある投函口開閉蓋１１と開閉子扉１２を開いた状態のままで維持できる。
【００１４】
メールボックス２の組み立てについては、上部材８ａと下部材８ｂ、左右の側部材８ｃを略矩形に組み、上部材８ａの上面部２９ａと、下部材８ｂの下壁部３０ａ、背面壁３２及び上壁部３３を左右の側壁部３１ａで外周側から挟む。そして、左右の側壁部３１ａと、上面部２９ａ、下壁部３０ａ、背面壁３２及び上壁部３３とを、左右の側壁部３１ａの外周側からネジで固定する。また、左右の側部材８ｃの側張出部３１ｂ間に仕切材２４を取り付ける。上部材８ａの内周に投函口開閉蓋１１を正面側から差し込み、さらに、左右の側部材８ｃの内周から水平軸２７で水平軸回りに開閉自在に軸支する。また、下部材８ｂの内周部に開閉子扉１２を正面側から差し込み、さらに、開閉子扉１２の両側から水平軸２８で水平軸回りに開閉自在に軸支することにより、メールボックス２が完成する。
【００１５】
また、メールボックス２のメール収納部１０の上部には、図３（ａ）のように、凹状をなす上溝部１３ａが設けてある。この上溝部１３ａは、天板３をつたって小包ボックス１内に入り込んだ雨水を受けとめる。そして、上溝部１３ａで受け止めた雨水は、図３（ｂ）のように、雨水をメール収納部１０の側部材８ｃの側壁部３１ａ外周に設けてあり且つ上記上溝部１３ａと連続する側溝部１３ｂに案内するものである。さらに、側溝部１３ｂに案内された雨水は、側溝部１３ｂから小包ボックス１の底板５のない開放部分に流してメールボックス２の下方に排水されるものである。また、天板３の正面側見付け面３ａには、図１のように、タイト材１４ａが取り付けてあり、さらに、底板５の正面側見付け面５ａには、図３（ｂ）のように、クッション材１４ｂが取り付けてある。これにより、メールボックス２を閉じたときに、張出部８の上部背面側８ｅがタイト材１４ａと当接し、小包ボックス１とメールボックス２の継目が密閉されて郵便箱内の止水性が向上する。さらに、背面壁３２の背面側がクッション材１４ｂに当接することにより、メールボックス２のガタツキや傷が付くのを防止できる。
【００１６】
上記のようにメールボックス２を形成することにより、以下のような作用、効果を奏する。投函口開閉蓋１１は、通常は投函口９を閉塞するが、上部材８ａに水平軸回りで軸支してあることにより、正面側下方から跳ね上げて投函口９を開放し、書簡の投函ができるようにしてある。また、開閉子扉１２は、下部材８ｂに水平軸回りで軸支してあり、正面側に倒伏させることでメール収納部１０を開放して中に投函された書簡を取り出すことができる。さらに、投函口開閉蓋１１と開閉子扉１２は、メールボックス２の開閉方向と異なった方向に開閉するようにそれぞれが軸支してあることにより、投函口開閉蓋１１と開閉子扉１２の一方のみを開閉するときに他方も一緒に開閉する不都合がなく、メールボックス２、投函口開閉蓋１１及び開閉子扉１２それぞれの開閉操作が容易に行える。さらに、投函口開閉蓋１１と開閉子扉１２のそれぞれの水平軸２７，２８が並列に配置されないことから、メール収納部１０の左右幅を所定の大きさの小包ボックス１の寸法範囲内で最大限に大きく確保できる（図２（ｂ）参照）。また、メール収納部１０は、メールボックス２を小包ボックス１側に閉塞したときに、天板３と左右の側壁４の内周側に位置するように形成してあるので、メール収納部１０が小包ボックス１の内周側に位置することにより、雨水がメールボックス２に直接降りかからずに郵便箱の雨仕舞が良好となる。  
【００１７】
また、符号１５は、数字合わせ錠であり、並列に配置する複数桁の表示窓と各表示窓にそれぞれ対応した複数のダイヤルを有しており、施主側であらかじめ設定した数字に各ダイヤルを回して合わせたときに開錠する構造となっており、普段は解除された状態にあるとともに、配達業者が小包ボックス１内に配達物を入れた後に各ダイヤルを適当な位置に回すことで施錠状態とし、施主以外の取り出しを不可とするものである（図４もあわせて参照）。また、符号１６は、ローラーキャッチであり、メールボックス２を閉じたときに、メールボックス２側の係止金具１８を付勢力により係止することで、メールボックス２の不意な開放を防ぐものである。符号１７は、ダイヤル錠であり、水平軸回しに軸支されたダイヤルを回して施主側で設定した番号に位置させることで開閉子扉１２を開錠するものである。
【００１８】
本実施の形態にかかる郵便箱によれば、小包ボックス１に対してメールボックス２を閉じた状態で、メールボックス２の張出部８が小包ボックス１の正面側端部よりも正面側に位置しており、メールボックス２の張出部８の上部背面側８ｅと小包ボックス１の天板３の正面側見付け面３ａとがタイト材１４ａを介して当接するので、雨水が小包ボックス内に入り込みにくく止水性が良い。さらに、小包ボックス１に対しメールボックス２を閉じた状態で、タイト材１４ａの下方にくるようにメールボックス２の上部材８ａの上面に上溝部１３ａを設けておくことで、タイト材１４ａを越えて浸入してきた雨水をメールボックス２の側部材８ｃの外周に案内して下方に排水することができるので、より一層雨仕舞いが良好となる。また、メールボックス２のメール収納部１０が小包ボックス１の天板３及び左右側壁４の内周に納まると共に、小包ボックス１に対してメールボックス２を閉じた状態で、小包ボックス１の天板３と背後壁６と底板５の内周面、及びメールボックス２の背面壁３２の背後面とで囲まれて形成される空間を小包収納部３４としてあるので、郵便箱の外観にはメール収納部１０と小包収納部３４の境目が露出せず、郵便箱の意匠が良好となる。さらに、小包収納部３４の正面壁をメールボックス２の背面壁３２の背後面によって形成することで、小包収納部３４の正面壁を別途設ける必要がなく、小包収納部３４の空間を大きく形成することができる（図２（ａ）（ｂ）参照）。また、小包ボックス１の底板５を天板３よりも正面側に短く形成してあり、小包ボックス１に対してメールボックス２を閉じた状態で、小包ボックス１の底板５とメールボックス２の下壁部３０ａとが対向しない構造とすることで、メールボックス２のメール収納部１０の大きさが小包ボックス１の底板５の高さに制限されないため、メール収納部１０を所定の大きさの小包ボックス１内において最大限に大きく形成することができる。さらに、このように形成することで、小包ボックス１内に浸入した雨水をメールボックス２の側部材８ｃの外周から下方に排水する際、雨水がそのまま地面に落ちるので、小包ボックス１内に雨水が溜まることによる汚れなども防ぐことができる。
【００１９】
本発明の郵便箱は、図５のように、底板５を小包ボックス１の正面側端部まで延ばし、その底板５に水抜き孔１９を設ける構造としてもよい。このように形成した郵便箱においても、天板３外周上部からつたってメールボックス２のメール収納部１０側面に流れた雨水を底板５の水抜き孔１９から排水することができる。また、本発明の郵便箱は、上記実施形態では、支柱２１に照明２２やインターホン２３と一体化された門柱に設置したものについて記載したが、それ以外の形態のものに取り付けるものであってもよい。
【符号の説明】
【００２０】
１  小包ボックス
２  メールボックス
３  天板
４  側壁
５  底板
６  背後壁
７  開閉丁番
８  張出部
９  投函口
１０  メール収納部
１１  投函口開閉蓋
【図１】
0006031251.tif 000002
【図２】
0006031251.tif 000003
【図３】
0006031251.tif 000004
【図４】
0006031251.tif 000005
【図５】
0006031251.tif 000006